(57)【要約】      （修正有）【課題】カヌー競技に用いられるゲートをより効率的に設置することのできる固定具、及びそれを用いたカヌー競技用ゲートの固定方法を提供する。【解決手段】カヌー競技用ゲート固定具は、ガイドロープに沿って移動可能なカヌー競技用のゲートを位置決めし、これを固定するために用いられ、ガイドロープを挿通するための挿通部３と、挿通部３にてガイドロープを挟持又は挟持解除自在に設けられ、ガイドロープを挟持したときにゲート固定具をこのガイドロープの所望の位置で固定させる挟持部４と、挟持部４を弾性により挟持状態に留置するためのバネ５１と、ゲートを結合可能であり、結合されたゲートとともに下方へ牽引されたときに、挟持部４を挟持解除状態へ移行させるゲート結合部６と、備える。【選択図】図４
2016096876.tif 000002
【特許請求の範囲】
【請求項１】
ガイドロープに沿って移動可能なカヌー競技用のゲートを位置決めし、これを固定するためのカヌー競技用ゲート固定具であって、
前記ガイドロープを挿通するための挿通部と、
前記挿通部にて前記ガイドロープを挟持又は挟持解除自在に設けられ、前記ガイドロープを挟持したときに前記ゲート固定具をこのガイドロープの所望の位置で固定させる挟持部と、
前記挟持部を弾性により挟持状態に留置するための弾性部と、
前記ゲートを結合可能であり、結合されたゲートとともに下方へ牽引されたときに、前記挟持部を挟持解除状態へ移行させるゲート結合部と、を備えたカヌー競技用ゲート固定具。
【請求項２】
前記挿通部が、前記挿通部に前記ガイドロープが挿通されたときの延長方向に沿って、そのガイドロープを内部に通すことが可能なパイプ状の支持部と、前記支持部の端部に開口した挿通口と、を備えることを特徴とする、請求項１記載のカヌー競技用ゲート固定具。
【請求項３】
請求項１又は２記載のカヌー競技用ゲート固定具のゲート結合部にゲートを結合させるゲート結合工程と、
前記ゲート固定具の挿通部に、前記ゲート及びゲート固定具を案内するためのガイドロープを挿通させる挿通工程と、
ゲート結合工程及び挿通工程を経た後、前記ゲート固定具に結合されたゲートを介して前記ゲート結合部を所望の進行方向へ向かって牽引することで、前記ゲート固定具の挟持部を挟持解除状態にしながら前記ゲート及びゲート固定具を所望の位置まで移動させる移動工程と、
前記移動工程を経た後に前記ゲート結合部の牽引を解除することにより前記ゲート固定具の挟持部を挟持状態にして、前記ゲート及びゲート固定具を前記所望の位置で固定させる固定工程と、を備えたカヌー競技用ゲートの固定方法。
【発明の詳細な説明】
【技術分野】
【０００１】
本発明は、カヌー競技用ゲート固定具、及びそれを用いたカヌー競技用のゲート固定方法に関する。
【背景技術】
【０００２】
カヌーのスラローム競技においては、川などのカヌー競技場の上方空間に複数のゲートが設置されており、競技に参加している選手は、予め定められた順番でゲートをくぐり抜けるよう、カヌーを左右に操りながらゴールを目指し、タイムを競うことになる。このゲートの設置について、図１１を参照しながら説明する。図１１は、カヌーのスラローム競技における、従来のゲート設置方法を示した模式図である。
【０００３】
競技会場となる川９６の上方には、一対のゲート棒９４、９４、ゲートナンバー板９５、及びこれらを吊り下げる横板９３を備えたゲート９が間隔を空けて設置される。ゲートナンバー板９５は、通過すべきゲートの順番を示したものであり、選手は、これに示された順番通りに、各ゲート９に設けられたゲート棒９４、９４の間を通過することになる。
【０００４】
各ゲート９は、選手がカヌーを左右に操りながら進むようにするために、競技会場となる川９６の幅方向（左右方向と呼ぶ。）にて連続するゲートが左右に振られるように設置される。このため、各ゲート９は、川９６を横断して設けられたガイドロープ９１に案内されながら、川９６の両岸から２本の位置決めロープ９２、９２で左右に引かれて左右方向の位置が調節される。ガイドロープ９１は、張力を有する状態で、川岸に存在する樹木や岩などの固定具９７に括り付けられる。ゲート９は、２個のカラビナ９８、９８でガイドロープ９１に吊り下げられており、２本の位置決めロープ９２、９２で左右から引かれることで、容易に左右方向に移動することができる。
【０００５】
ゲート９は、その左右方向の位置が所望の位置となってから、２本の位置決めロープ９２、９２がガイドロープ９１とは異なる固定具９７にそれぞれ括り付けられることで、固定される。この一連の作業でゲート９の固定が完了するが、この作業では、ガイドロープ９１に加えて２本の位置決めロープ９２、９２が使われるので、川９６の両岸に複数回にわたってロープを渡さなければならないし、川９６を挟んで両岸から人員が作業しなければならない。通常の競技ではこうしたゲート９が２０箇所程度設けられるので、そのゲート設置作業の負担は決して小さくない。
【０００６】
カヌーのスラローム競技に関しては、例えば、特許文献１に示すように、経時装置に関する提案はこれまでにもなされてきたが、上記のようなゲートの設置作業に関する提案はなされてきていないのが実情である。このため、カヌーのスラローム競技を行うに際しては、上記のような手間の掛かる作業を行わなければならないのが実情だった。
【先行技術文献】
【特許文献】
【０００７】
【特許文献１】特開平１０−２８６３３６号公報
【発明の概要】
【発明が解決しようとする課題】
【０００８】
本発明は、以上の実情に鑑みてなされたものであり、カヌー競技に用いられるゲートをより効率的に設置することのできる固定具、及びそれを用いたカヌー競技用ゲートの固定方法を提供することを目的とする。
【課題を解決するための手段】
【０００９】
本発明は、ガイドロープに沿って移動可能なカヌー競技用のゲートを位置決めし、これを固定するためのカヌー競技用ゲート固定具であって、上記ガイドロープを挿通するための挿通部と、上記挿通部にて上記ガイドロープを挟持又は挟持解除自在に設けられ、上記ガイドロープを挟持したときに上記ゲート固定具をこのガイドロープの所望の位置で固定させる挟持部と、上記挟持部を弾性により挟持状態に留置するための弾性部と、上記ゲートを結合可能であり、結合されたゲートとともに下方へ牽引されたときに、上記挟持部を挟持解除状態へ移行させるゲート結合部と、を備えたカヌー競技用ゲート固定具である。
【００１０】
上記カヌー競技用ゲート固定具において、上記挿通部が、当該挿通部に上記ガイドロープが挿通されたときの延長方向に沿って、そのガイドロープを内部に通すことが可能なパイプ状の支持部と、上記支持部の端部に開口した挿通口と、を備えることが好ましい。
【００１１】
また本発明は、上記のカヌー競技用ゲート固定具のゲート結合部にゲートを結合させるゲート結合工程と、上記ゲート固定具の挿通部に、上記ゲート及びゲート固定具を案内するためのガイドロープを挿通させる挿通工程と、ゲート結合工程及び挿通工程を経た後、上記ゲート固定具に結合されたゲートを介して前記ゲート結合部を所望の進行方向へ向かって牽引することで、上記ゲート固定具の挟持部を挟持解除状態にしながら上記ゲート及びゲート固定具を所望の位置まで移動させる移動工程と、上記移動工程を経た後に上記ゲート結合部の牽引を解除することにより上記ゲート固定具の挟持部を挟持状態にして、上記ゲート及びゲート固定具を上記所望の位置で固定させる固定工程と、を備えたカヌー競技用ゲートの固定方法でもある。
【発明の効果】
【００１２】
本発明によれば、カヌー競技に用いられるゲートをより効率的に設置することのできる固定具、及びそれを用いたカヌー競技用ゲートの固定方法が提供される。
【図面の簡単な説明】
【００１３】
【図１】図１は、本発明の一実施形態であるカヌー競技用ゲート固定具１の外観を示す斜視図である。
【図２】図２は、本発明の一実施形態であるカヌー競技用ゲート固定具１の外観を示す平面図である。
【図３】図３は、本発明の一実施形態であるカヌー競技用ゲート固定具１が挟持状態となっているときの内部構造を示す平面図である。
【図４】図４は、本発明の一実施形態であるカヌー競技用ゲート固定具１が挟持解除状態となっているときの内部構造を示す平面図である。
【図５】図５は、本発明の一実施形態であるカヌー競技用ゲート固定具１の挟持部４及びゲート結合部６を示す平面図である。
【図６】図６は、本発明の一実施形態であるカヌー競技用ゲート固定具１における弾性部の構造を示す平面図である。
【図７】図７は、本発明の一実施形態であるカヌー競技用ゲート固定具１において、蓋２１及び弾性部５を省略したものを斜め上方から観察した斜視図である。
【図８】図８は、本発明の一実施形態であるカヌー競技用ゲート固定具１の側面図である。
【図９】図９は、ゲート結合部６を９０°回転させたときの、カヌー競技用ゲート固定具１の側面図である
【図１０】図１０は、本発明の一実施形態であるカヌー競技用のゲート固定具１の使用態様を示す模式図である。
【図１１】図１１は、カヌーのスラローム競技における、従来のゲート設置方法を示した模式図である。
【発明を実施するための形態】
【００１４】
＜カヌー競技用ゲート固定具＞
以下、本発明のカヌー競技用ゲート固定具１の一実施形態について図面を参照しながら説明するが、本発明は、以下の実施形態に何ら限定されるものではない。図１は、本実施形態のカヌー競技用ゲート固定具１の外観を示す斜視図である。図２は、本実施形態のカヌー競技用ゲート固定具１の外観を示す平面図である。図３は、本実施形態のカヌー競技用ゲート固定具１が挟持状態となっているときの内部構造を示す平面図である。図４は、本実施形態のカヌー競技用ゲート固定具１が挟持解除状態となっているときの内部構造を示す平面図である。図５は、本実施形態のカヌー競技用ゲート固定具１の挟持部４及びゲート結合部６を示す平面図である。図６は、本実施形態のカヌー競技用ゲート固定具１における弾性部の構造を示す平面図である。図７は、本実施形態のカヌー競技用ゲート固定具１において、蓋２１及び弾性部５を省略したものを斜め上方から観察した斜視図である。
【００１５】
本実施形態のカヌー競技用ゲート固定具１（以下、単に「ゲート固定具１」とも呼ぶ。）は、ガイドロープ９１（以下、図１１も適宜参照するものとする。）に沿って移動可能なカヌー競技用のゲート９（本明細書において、単に「ゲート９」とも呼ぶ。）を位置決めし、これを固定するために用いられる。ガイドロープ９１は、カヌー競技におけるゲート９を設置する際に川９６の両岸を渡すように設けられ、ゲート９の位置決めの際にこれを案内するために用いられる。
【００１６】
ゲート固定具１は、ガイドロープ９１を挿通するための挿通部３と、ガイドロープ９１を挟持してゲート固定具１をガイドロープ９１の所望の位置で固定させる挟持部４と、挟持部４を弾性により挟持可能な状態に留置するための弾性部５と、ゲート９を結合可能であり、結合されたゲート９とともに下方へ牽引されたときに、挟持部４を挟持解除状態へ移行させるゲート結合部６と、を備える。そして、これらがケース２２及び蓋２１からなる筐体２に収容されて本実施形態のゲート固定具１が構成される。以下、各構成について説明する。
【００１７】
挿通部３は、ガイドロープ９１を挿通するためにゲート固定具１を貫通して設けられた部材であり、これが存在することにより、ゲート固定具１がガイドロープ９１に挿通された状態でこれに沿って移動することができるようになる。挿通部３は、挿通口３１及び支持部３２を備える。挿通口３１は、ガイドロープ９１が通過するための穴である。ケース２２及び蓋２１にも挿通口３１に対応した位置に同じような穴が設けられることで、ゲート固定具１の筐体２は、挿通口３１を出入り口として貫通孔を備えることになる。
【００１８】
支持部３２は、ゲート固定具１の両面、すなわち蓋２１の表面、及びケース２２の裏面に設けられたパイプ状（すなわち筒状）の部材であり、その両端が一対の挿通口３１、３１となる。上記のように、挿通口３１を出入り口として筐体２は貫通されているので、支持部３２は筐体２に設けられた穴に沿って設けられることになる。支持部３２は、挿通部３にガイドロープ９１が挿入されたときの延長方向に沿って延出しており、ガイドロープ９１を内部に通すことが可能なパイプ状の部材である。このような形状に基づいて、支持部３２は、ゲート固定具１とガイドロープ９１との接触面積を増加させ、ガイドロープ９１に通されたときにゲート固定具１がゲート結合部６を下方とした直立姿勢を保つのを助ける。
【００１９】
挟持部４は、挿通部３を通過するガイドロープ９１を挟持又は挟持解除自在に設けられた部材であり、挿通部３の穴を形成する壁面を利用してガイドロープ９１を挟み込んで挟持することができる。図３、４及び７に示すように、挟持部４は、ケース２２に設けられた凹み２２１の内部に収容され、ガイドロープ９１の通過する挿通部３の穴を閉塞又は非閉塞となる方向に移動することが可能である。そして、挟持部４は、挿通部３の穴を閉塞する方向へ移動したときに、挿通部３を通過するガイドロープ９１を、挿通部３の穴と挟持部４との間で挟持する。このとき、ゲート固定具１は、ガイドロープ９１の所望の位置で固定される。一方、挟持部４は、挿通部３の穴を非閉塞とする方向へ移動したときに、挿通部３を通過するガイドロープ９１を挟持解除する。このとき、ゲート固定具１は、ガイドロープ９１に沿って自由に移動することができる。なお、挟持部４の厚さは、ケース２２に設けられた凹み２２１の深さとほぼ同じであり、ゆえに、挟持部４が凹み２２１に収容されたとき、蓋２１はケース２２に隙間なく被さることになる。
【００２０】
挟持部４は、バネ５１からなる弾性体により、挟持状態に留置されている。すなわち、ゲート固定具１に外力が加わらない状態において、挟持部４は、バネ５１の弾性によって挿通部３の穴を閉塞する方向へ常に押されていることになる。このため、挿通部３にガイドロープ９１が存在するならば、ゲート固定具１に外力が加わらない状態において、ガイドロープ９１は挿通部３の穴と挟持部４との間で挟持された状態となり、ゲート固定具１は、ガイドロープ９１の所望の位置で固定されることになる。なお、挿通部３にガイドロープ９１が存在しない場合、図２に示すように、挿通部３は挟持部４により閉塞されることになる。
【００２１】
バネ５１は、弾性部５を構成する部材の一つである。弾性部５は、バネ５１とピン付きネジ５２により構成される。図５、６及び７に示すように、挟持側とは反対側となる挟持部４の端部には、バネ５１を収容するための凹み４１が形成されている。また、ケース２２のうち、挿通部３が存在する側と反対側で、凹み２２１でない部分には、バネ５１を外部側から通すための貫通孔２２２が設けられる。貫通孔２２２は、挟持部４の凹み４１と一直線上に存在するように設けられる。また、凹み４１及び貫通孔２２２は、ゲート固定具１の長さ方向の中心線について対称となるように２組設けられる。そして、これら２組の凹み４１及び貫通孔２２２の内部に、バネ５１が１本ずつ、すなわち合計２本収容される。
【００２２】
貫通孔２２２の内面には雌ねじが切られており、バネ５１を貫通孔２２２へ通した後、貫通孔２２２へピン付きネジ５２をねじ込むことにより、バネ５１は、その先端が挟持部４の凹み４１に収容された状態で貫通孔２２２の内部に伸縮可能な状態で収容される。この状態から、さらにピン付きネジ５２を奥へねじ込むことにより、バネ５１は貫通孔２２２の内部でピン付きネジ５２による圧縮を受けることになり、それにより強化された弾性により挟持部４の挟持力が強くなる。このようにピン付きネジ５２のねじ込み位置を調節することで挟持部４の挟持力を調節することができるので、ゲート固定具１にゲート９の荷重がかかった程度では挟持解除とはならない一方で、後述するゲート結合部６が牽引されたときに挟持解除となるように弾性部５の働きを調節できる。なお、ピン付きネジ５２に設けられたピンは、バネ５１の螺旋軸の中心に収容され、バネ５１の姿勢を直線状に維持するのに寄与する。
【００２３】
ゲート結合部６は、挟持部４の反対側に設けられ、挟持部４と結合されて一体とされている。ゲート結合部６は、ゲート９をゲート固定具１に結合させるために用いられる部材であり、一部が筐体２の外部に突き出したゲート結合体６２と、このゲート結合体６２に設けられた貫通孔である穴部６１とから構成される。
【００２４】
穴部６１には、ゲート９を吊り下げるための吊り下げ紐９６を掛けることができる（図１０を参照）。この吊り下げ紐９６を介して、ゲート結合体６２とゲート９とが一体化される。なお、吊り下げ紐９６としては、特に紐に限定されず、カラビナ等の金具を用いることもできる。
【００２５】
また、上記のように、挟持部４とゲート結合部６とは一体になっているので、ゲート結合部６を筐体２から離れる方向へ牽引することで、挟持部４を挟持解除側へ移動させることができる。このため、図１０に示すように、ガイドロープ９１にゲート固定具１及びカラビナ９８を取り付け、さらに、これらにゲート９を吊り下げておけば、ゲート棒９４を介して横棒９３を下方へ牽引したときにゲート結合部６も一緒に下方へ牽引されて、ゲート固定具１の内部に存在する挟持部４が挟持解除状態となり、ゲート固定具１は移動可能な状態となってガイドロープ９１に沿って移動できるようになる。このため、例えば、川面にボートを浮かべた状態でボートに乗船している人員がゲート９を牽引しながらボートを移動させると、挟持解除状態になったゲート固定具１及びそれに結合されたゲート９もその人員と一緒に移動させることができ、ゲート固定具１及びゲート９が所望の位置に到達したときに、ゲート９の牽引を解除すれば、ゲート固定具１は挟持状態となってゲート９をその位置で固定させる。このような作用により、ゲート固定具１は、従来の方法に比べて、より少ない人員及び手間でカヌー競技用のゲート９を設置することが可能になる。なお、図１０では、１個のゲート固定具１とカラビナ９８とを組み合わせてゲート９を吊り下げているが、このような使用態様に限らず、２個のゲート固定具１を用いてゲート９を吊り下げてもよい。さらには、カヌー競技の練習用等として、横板９３やゲートナンバー板９５を省き、ゲート固定具１にゲート棒９４を直接吊り下げて用いてもよい。
【００２６】
また、図５に示すように、ゲート結合部６は、その内部に存在するピン７により、ピン７を回転軸として回転自由な状態で挟持部４と一体化されている。ピン７は、挟持部４とゲート結合部６とを内部で貫通することでこれらを一体化し、挟持部４側の端部と、ゲート結合部６側の端部とが潰されて脱落しないようにされている。次に、ゲート結合部６が回転自由とされている理由について図８及び９を参照しながら説明する。図８は、カヌー競技用ゲート固定具１の側面図である。図９は、ゲート結合部６を９０°回転させたときの、カヌー競技用ゲート固定具１の側面図である。
【００２７】
ゲート結合部６は、弾性部５からの弾性力を挟持部４が受けることに対応して、筐体２の内部側へ引き込まれる力を受けている（図８）。このとき、ゲート結合部６を筐体２の外側へ引き出した状態でゲート結合体６を９０°回転させると、図９に示すように、ゲート結合部６が引き出された状態のままで固定される。つまり、ゲート結合体６が９０°回転した状態になると筐体２の内部へ引き込まれない状態になる一方で、同時にこれには筐体２の内部側へ引き込まれる力が働くので、その状態で固定されるのである。ゲート固定具１の内部に存在する挟持部４はこの状態で挟持解除の状態になっているので、挿通部３にガイドロープ９１を通すとき等のように、挟持部４を挟持解除状態のままにしておきたい場合に便利である。
【００２８】
次に、図１０を参照しながら、本実施形態のゲート固定具１の使用態様について説明する。図１０は、本発明のカヌー競技用のゲート固定具の一実施形態における使用態様を示す模式図である。
【００２９】
ゲート９は、水平を維持するために、ゲート固定具１及びカラビナ９８により２点で吊り下げられる。このとき、ゲート９は、吊り下げ紐９６を介してゲート固定具１のゲート結合部６と結合される。ゲート固定具１の挿通部３にはガイドロープ９１が挿通されている。ゲート９の横板９３には、ゲート９の通過位置を示す２本のゲート棒９４、９４が離間して設けられ、２本のゲート棒９４、９４の間にはゲートナンバー板９５が設けられる。なお、吊り下げ紐９６としては、特に紐に限定されず、カラビナ等の金具を用いることもできる。
【００３０】
ガイドロープ９１をゲート固定具１の挿通部３に通して、ゲート９をガイドロープ９１に吊り下げる作業は、川岸（地上部）で行うことができる。この吊り下げを行った後、ゲート９を移動させたい方向に向かってゲート棒９４を牽引すれば、ゲート固定具１における挟持部４が挟持解除状態となって、ゲート９及びゲート固定具１は牽引される方向へ進行する。ゲート棒９４を牽引するに際して水上を移動する必要があれば、ボート等の手段を用いればよい。そして、ゲート９及びゲート固定具１が所望の位置まで到達したときにゲート棒９４の牽引を解除すれば、ゲート固定具１における挟持部４は挟持状態となって、ゲート９及びゲート固定具１はその位置で固定される。
【００３１】
このような手順でゲート９をガイドロープ９１に沿った所望の位置に固定することができるので、本発明のゲート固定具１を用いれば、図１１に示すような従来の設置方法に比べて、川９６を渡すロープの数を減らし、設置に必要な人員や手間を大幅に削減することが可能になる。なお、既に述べたが、図１０では、１個のゲート固定具１とカラビナ９８とを組み合わせてゲート９を吊り下げているが、このような使用態様に限らず、２個のゲート固定具１を用いてゲート９を吊り下げてもよい。さらには、カヌー競技の練習用等として、横板９３やゲートナンバー板９５を省き、ゲート固定具１にゲート棒９４を直接吊り下げて用いてもよい。
【００３２】
＜カヌー競技用ゲートの固定方法＞
上記のゲート固定具１を用いた、カヌー競技用ゲートの固定方法も本発明の一つである。次に、本発明のカヌー競技用ゲートの固定方法の一実施態様について説明する。なお、ゲート固定具１についての説明は上記の通りであるので、ここでの説明を省略する。
【００３３】
本実施態様のカヌー競技用ゲートの固定方法（以下、単に「固定方法」とも呼ぶ。）は、上記のゲート固定具１のゲート結合部６にゲート９を結合させるゲート結合工程と、ゲート固定具１の挿通部３に、ゲート９及びゲート固定具１を案内するためのガイドロープ９１を挿通させる挿通工程と、上記ゲート結合工程及び挿通工程を経た後、ゲート固定具１に結合されたゲート９を介してゲート結合部６を所望の進行方向へ向かって牽引することで、ゲート固定具の挟持部３を挟持解除状態にしながらゲート９及びゲート固定具１を所望の位置まで移動させる移動工程と、移動工程を経た後にゲート結合部６の牽引を解除することによりゲート固定具１の挟持部４を挟持状態にして、ゲート９及びゲート固定具１を上記所望の位置で固定させる固定手段と、を備える。なお、上記の各工程のうち、ゲート結合工程と挿通工程とは互いに順序を入れ替えて実施してもよい。以下、各工程について説明する。
【００３４】
［ゲート結合工程］
ゲート結合工程は、ゲート固定具１のゲート結合部６にゲート９を結合する工程である。ゲート結合部６には、ゲート９を吊り下げるための吊り下げ紐９６を掛けるための穴部６１が形成されているので、この穴部６１を用いてゲート９を結合させればよい。なお、既に説明した通り、１つのゲート９をガイドロープ９１に吊り下げるために、図１０に示すように１個のゲート固定具１及びカラビナ９８を組み合わせて用いるが、これに限らず２個のゲート固定具１を用いてもよい。また、吊り下げ紐９６としては、特に紐に限定されず、カラビナ等の金具を用いることもできる。さらには、カヌー競技の練習用等として、横板９３やゲートナンバー板９５を省き、ゲート固定具１にゲート棒９４を直接吊り下げて用いてもよい。この場合、ゲート棒９４をゲート９として取り扱うものとする。
【００３５】
この工程を経ることにより、ゲート固定具１とゲート９とが一体化される。これらはガイドロープ９１に沿って一緒に移動することになる。
【００３６】
［挿通工程］
挿通工程は、ゲート固定具１の挿通部３に、ゲート９及びゲート固定具１を案内するためのガイドロープ９１を挿通させる工程である。ゲート固定具１は、弾性部５の働きにより通常の状態で挟持状態となっており、挿通部３が挟持部４で閉鎖されている。そのため、ゲート結合部６を筐体２の外側方向へ引くことで挟持部４を挟持解除の状態にし、挿通部３を開通させた状態にしてからガイドロープ９１を挿通部３に通す必要がある。なお、既に説明したように、ゲート結合部６を外側に引いた状態でこれを９０°回転させることで、挟持部４を挟持解除の状態で固定してもよい。この場合、ガイドロープ９１を挿通部３に通した後で、ゲート結合部６を再び９０°回転させて挟持解除の状態とする。
【００３７】
なお、既に述べたように、上記ゲート結合工程と挿通工程とは互いに順序を入れ替えて実施してもよい。ゲート結合工程及び挿通工程を経た後、ゲート９及びゲート固定具１は、移動工程に付される。
【００３８】
［移動工程］
移動工程は、ゲート固定具１に結合されたゲート９を介して、ゲート結合部６を所望の進行方向へ向かって牽引することで、ゲート固定具１の挟持部４を挟持解除状態にしながらゲート９及びゲート固定具１を所望の位置まで移動させる工程である。
【００３９】
より具体的には、ゲート９を移動させたい方向に向かって、ゲート９の横板９３に結合されたゲート棒９４を牽引すればよい。これにより、ゲート固定具１における挟持部４が挟持解除状態となって、ゲート９及びゲート固定具１が牽引される方向へ移動する。ゲート棒９４を牽引するに際して水上を移動する必要があれば、ボート等の手段を用いればよいことは既に述べた通りである。このようにして、ゲート９及びゲート固定具１を所望の位置まで移動させる。
【００４０】
移動工程を経たゲート９及びゲート固定具１は、固定工程に付される。
【００４１】
［固定工程］
固定工程は、上記移動工程を経た後に、ゲート結合部６の牽引を解除することでゲート固定具１の挟持部３を挟持状態とし、ゲート９及びゲート固定具１を上記所望の位置で固定させる工程である。上記移動工程にてゲート９が所望の位置まで到達した後、ゲート棒９４の牽引を解除すれば、同時にゲート結合部６の牽引も解除され、既に述べたようにゲート固定具１における挟持部４は挟持状態となって、ゲート９及びゲート固定具１はその位置で固定される。
【００４２】
以上の各工程を経て、ガイドロープ９１に沿った所望の位置へのゲート９の設置が完了する。本発明のカヌー競技用ゲートの固定方法によれば、従来よりも少ない手間及び人員でカヌー競技用ゲートを設置することが可能になる。
【符号の説明】
【００４３】
１    カヌー競技用ゲート固定具
２    筐体
２１  蓋
２２  ケース
３    挿通部
３１  挿通口
３２  支持部
４    挟持部
５    弾性部
５１  バネ
５２  ピン付きネジ
６    ゲート結合部
６１  穴部
６２  ゲート結合体
９    ゲート
９１  ガイドロープ
【図１】
2016096876.tif 000003
【図２】
2016096876.tif 000004
【図３】
2016096876.tif 000005
【図４】
2016096876.tif 000006
【図５】
2016096876.tif 000007
【図６】
2016096876.tif 000008
【図７】
2016096876.tif 000009
【図８】
2016096876.tif 000010
【図９】
2016096876.tif 000011
【図１０】
2016096876.tif 000012
【図１１】
2016096876.tif 000013